(57)【要約】【課題】建築現場において野縁材を組み立てることなく、野縁材の設置個所の寸法に合わせて、容易かつ適切に設置できるユニット化された野縁材を提供する。【解決手段】軒１００の鼻先側１０１に固定される一方桟材１０と、軒１００の元側１０２に固定される他方桟材２０と、この一方桟材１０と他方桟材２０との間に架け渡される渡り材３とを備え、下部に軒天井用板２００を張り込ませる野縁ユニットＮである。この野縁ユニットＮが、一方桟材１０と、この一方桟材１０に一端１１ａを接合させた第一渡り材構成材１１とを有する第一部分１と、他方桟材２０と、この他方桟材２０に一端２１ａを接合させた第二渡り材構成材２１とを有する第二部分２とに分割されていると共に、第一部分１の第一渡り材構成材１１と第二部分２の第二渡り材構成材２１とを、スライド可能に組み合わせて、渡り材３を構成させるようにしている。【選択図】        図５
2004257159.tif 000002
【特許請求の範囲】
【請求項１】
軒の鼻先側に固定される一方桟材と、軒の元側に固定される他方桟材と、この一方桟材と他方桟材との間に架け渡される渡り材とを備え、下部に軒天井用板を張り込ませる野縁ユニットであって、
この野縁ユニットが、
一方桟材と、この一方桟材に一端を接合させた第一渡り材構成材とを有する第一部分と、
他方桟材と、この他方桟材に一端を接合させた第二渡り材構成材とを有する第二部分とに分割されていると共に、
第一部分の第一渡り材構成材と第二部分の第二渡り材構成材とを、スライド可能に組み合わせて、渡り材を構成させるようにしていることを特徴とする軒天井用野縁ユニット。
【請求項２】
軒の鼻先側に固定される一方桟材と、軒の元側に固定される他方桟材と、この一方桟材と他方桟材との間に架け渡される渡り材とを備え、下部に軒天井用板を張り込ませる野縁ユニットであって、
この野縁ユニットが、
一方桟材と、この一方桟材に一端を接合させた第一渡り材構成材とを有する第一部分と、
他方桟材と、この他方桟材に一端を接合させた第二渡り材構成材とを有する第二部分とに分割されていると共に、
第一部分の第一渡り材構成材及び第二部分の第二渡り材構成材のいずれか一方に軒出し方向に沿った溝が形成され、
これらの他方に軒出し方向に沿った突条が形成されており、
この溝に突条をスライド可能に入れ込ませて第一部分の第一渡り材構成材と第二部分の第二渡り材構成材とを組み合わせることにより、渡り材を構成させるようにしていることを特徴とする軒天井用野縁ユニット。
【請求項３】
第一渡り材構成材と第二渡り材構成材とが、これらの縦方向にある面部を接しさせるようにして組み合わされていると共に、
これらの一方の前記面部に溝が設けられ、これらの他方の前記面部に突条が設けられていることを特徴とする請求項２記載の軒天井用野縁ユニット。
【請求項４】
野縁ユニットが複数の渡り材を有していると共に、
これら複数の渡り材のうちの少なくとも一つの渡り材における第一渡り材構成材が第二渡り材構成材に接する面部に対し、
この少なくとも一つの渡り材以外の渡り材における第一渡り材構成材が第二渡り材構成材に接する面部が、反対の向きに向けられるようにしてあることを特徴とする請求項３記載の軒天井用野縁ユニット。
【請求項５】
第一渡り材構成材と第二渡り材構成材とが、これらの横方向にある面部を接しさせるようにして組み合わされていると共に、
これらの一方の前記面部に溝が設けられ、これらの他方の前記面部に突条が設けられていることを特徴とする請求項２記載の軒天井用野縁ユニット。
【請求項６】
野縁ユニットが複数の渡り材を有していると共に、
これら複数の渡り材のうちの少なくとも一つの渡り材における第一渡り材構成材が第二渡り材構成材に接する面部に対し、
この少なくとも一つの渡り材以外の渡り材における第一渡り材構成材が第二渡り材構成材に接する面部が、反対の向きに向けられるようにしてあることを特徴とする請求項５記載の軒天井用野縁ユニット。
【請求項７】
第一部分の第一渡り材構成材と第二部分の第二渡り材構成材とが上下方向に重なり合う箇所に対し、下方から押圧を施して、これらによって構成される渡り材に若干の反りを施した後、この重なり合う箇所に釘などによる止め付けを施して請求項５又は請求項６記載の野縁ユニットを設置させるようにすることを特徴とする軒天井用野縁ユニットの施工方法。
【発明の詳細な説明】
【０００１】
【発明の属する技術分野】
この発明は、軒天井用板の張り込みに先立って軒に設置されて、この後、張り込まれる軒天井用板と一緒に軒天井を構成する軒天井用野縁ユニット、および、この野縁ユニットを軒に設置させる施工方法に関する。
【０００２】
【従来の技術】
軒裏の形式として軒天井がある。これは、軒の裏に、板材、合板、ボード類などの軒天井用板を張り込んで軒を構成させるものである。
【０００３】
【発明が解決しようとする課題】
かかる軒天井用板を張り込むにあたっては、通例、一対の桟材と、この一対の桟材間に亘る複数の渡り材とからなる軒天井の下地材（野縁材と称する。）を先ず軒裏に設置した後、この下地材の下部に軒天井用板を張り込むようにしている。
【０００４】
かかる下地材は、軒の隅部以外の箇所では、いわば梯子状をなすように構成され、一対の桟材の一方を軒の鼻先側に固定させると共に、一対の桟材の他方を軒の元側に固定させて設置される。
【０００５】
従来は、建築現場において、かかる一対の桟材の一方が固定される箇所と、一対の桟材の他方が固定される箇所との間の寸法を測り、この寸法に基づいて下地材を現場において組み立てた後、軒の裏に設置するようにしている。すなわち、かかる下地材の設置には相応の手間を要していた。
【０００６】
測った寸法に基づいて下地材を組み立てても、微妙に寸法誤差が生じる場合も少なくなく、軒の強度確保などの観点からこうした誤差を無視して軒の裏に下地材を備え付けてしまうことはできないことから、こうした場合には再度かかる下地材を作り直すことを余儀なくされていた。
【０００７】
そこでこの発明は、建築現場においてかかる野縁材を組み立てることなく、野縁材の設置個所の寸法に合わせて、容易かつ適切に設置できるユニット化された野縁材、つまり、野縁ユニットを提供することを主たる目的とする。
【０００８】
【課題を解決するための手段】
前記目的を達成するために、請求項１記載の発明にあっては、軒天井用野縁ユニットが、以下の（１）〜（３）の構成を備えたものとした。
（１）軒の鼻先側に固定される一方桟材と、軒の元側に固定される他方桟材と、この一方桟材と他方桟材との間に架け渡される渡り材とを備え、下部に軒天井用板を張り込ませる野縁ユニットであって、
（２）この野縁ユニットが、
一方桟材と、この一方桟材に一端を接合させた第一渡り材構成材とを有する第一部分と、
他方桟材と、この他方桟材に一端を接合させた第二渡り材構成材とを有する第二部分とに分割されていると共に、
（３）第一部分の第一渡り材構成材と第二部分の第二渡り材構成材とを、スライド可能に組み合わせて、渡り材を構成させるようにしている。
【０００９】
かかる構成によれば、第一部分の第一渡り材構成材の他端と第二部分の他方桟材の内面間の間隔を狭める向きに、すなわちまた、第二部分の第二渡り材構成材の他端と第一部分の一方桟材の内面間の間隔を狭める向きに、第一部分側にあっては第二部分の第二渡り材構成材を案内として、一方、第二部分側にあっては第一部分の第一渡り材構成材を案内として、スライド移動させることにより、第一部分の一方桟材の外面と第二部分の他方桟材の外面との間の横方向の間隔を狭めさせることができる。
【００１０】
また、第一部分の第一渡り材構成材の他端と第二部分の他方桟材の内面間の間隔を広げる向きに、すなわちまた、第二部分の第二渡り材構成材の他端と第一部分の一方桟材の内面間の間隔を広げる向きに、第一部分側にあっては第二部分の第二渡り材構成材を案内として、一方、第二部分側にあっては第一部分の第一渡り材構成材を案内として、スライド移動させることにより、第一部分の一方桟材の外面と第二部分の他方桟材の外面との間の横方向の間隔を広げさせることができる。
【００１１】
この結果、かかる野縁ユニットは、軒における軒の鼻先側の構成材と軒の元側の構成材との間のピッチに併せて、前記スライド移動によって、野縁ユニットにおける一方桟材の外面と他方桟材の外面間のピッチを調整させた後、この一方桟材の外面を軒の鼻先側の構成材に押しつけ、かつ、この他方桟材の外面を軒の元側の構成材に押しつけるようにして軒に容易に設置させることができる。
【００１２】
また、請求項２記載の発明にあっては、軒天井用野縁ユニットが、以下の（１）〜（４）の構成を備えたものとした。
（１）軒の鼻先側に固定される一方桟材と、軒の元側に固定される他方桟材と、この一方桟材と他方桟材との間に架け渡される渡り材とを備え、下部に軒天井用板を張り込ませる野縁ユニットであって、
（２）この野縁ユニットが、
一方桟材と、この一方桟材に一端を接合させた第一渡り材構成材とを有する第一部分と、
他方桟材と、この他方桟材に一端を接合させた第二渡り材構成材とを有する第二部分とに分割されていると共に、
（３）第一部分の第一渡り材構成材及び第二部分の第二渡り材構成材のいずれか一方に軒出し方向に沿った溝が形成され、
これらの他方に軒出し方向に沿った突条が形成されており、
（４）この溝に突条をスライド可能に入れ込ませて第一部分の第一渡り材構成材と第二部分の第二渡り材構成材とを組み合わせることにより、渡り材を構成させるようにしている。
【００１３】
かかる構成によれば、第一部分の第一渡り材構成材の他端と第二部分の他方桟材の内面間の間隔を狭める向きに、すなわちまた、第二部分の第二渡り材構成材の他端と第一部分の一方桟材の内面間の間隔を狭める向きに、第一部分側にあっては第二部分の第二渡り材構成材を案内として、一方、第二部分側にあっては第一部分の第一渡り材構成材を案内として、スライド移動させることにより、第一部分の一方桟材の外面と第二部分の他方桟材の外面との間の横方向の間隔を狭めさせることができる。
【００１４】
また、第一部分の第一渡り材構成材の他端と第二部分の他方桟材の内面間の間隔を広げる向きに、すなわちまた、第二部分の第二渡り材構成材の他端と第一部分の一方桟材の内面間の間隔を広げる向きに、第一部分側にあっては第二部分の第二渡り材構成材を案内として、一方、第二部分側にあっては第一部分の第一渡り材構成材を案内として、スライド移動させることにより、第一部分の一方桟材の外面と第二部分の他方桟材の外面との間の横方向の間隔を広げさせることができる。
【００１５】
この結果、かかる野縁ユニットは、軒における軒の鼻先側の構成材と軒の元側の構成材との間のピッチに併せて、前記スライド移動によって、野縁ユニットにおける一方桟材の外面と他方桟材の外面間のピッチを調整させた後、この一方桟材の外面を軒の鼻先側の構成材に押しつけ、かつ、この他方桟材の外面を軒の元側の構成材に押しつけるようにして軒に容易に設置させることができる。
【００１６】
また、かかる構成によれば、前記溝に沿って、第一渡り材構成材側を案内として第二渡り材構成材を、すなわちまた、第二渡り材構成材側を案内として第一渡り材構成材を、第一部分の一方桟材の外面と第二部分の他方桟材の外面間のピッチを可変させるように、円滑にスライド移動させることができる。また、かかる溝への突条の入れ込みによって、第一部分と第二部分とを安定的に組み合わせることができる。
【００１７】
また、請求項３記載の発明にあっては、請求項２記載の軒天井用野縁ユニットにおける、第一渡り材構成材と第二渡り材構成材とが、これらの縦方向にある面部を接しさせるようにして組み合わされていると共に、
これらの一方の前記面部に溝が設けられ、これらの他方の前記面部に突条が設けられていることを特徴としている。
【００１８】
かかる構成によれば、この溝への突条の入れ込みによって、第一部分と第二部分とを、軒出し方向にスライド移動または相対的にスライド移動可能に組み合わせておくことができると共に、上下方向において安定的に組み合わさせておくことができる。
【００１９】
また、請求項４記載の発明にあっては、請求項３記載の軒天井用野縁ユニットにおける、野縁ユニットが複数の渡り材を有していると共に、
これら複数の渡り材のうちの少なくとも一つの渡り材における第一渡り材構成材が第二渡り材構成材に接する面部に対し、
この少なくとも一つの渡り材以外の渡り材における第一渡り材構成材が第二渡り材構成材に接する面部が、反対の向きに向けられるようにしてあることを特徴としている。
【００２０】
かかる構成によれば、前記溝への突条の入れ込みによって、第一部分と第二部分とを、軒出し方向にスライド移動または相対的にスライド移動可能に組み合わせておくことができると共に、上下方向において安定的に組み合わされ、かつ、水平方向のうち、前記スライド移動方向に交叉する向きにおいても安定的に組み合わせておくことができる。
【００２１】
また、請求項５記載の発明にあっては、請求項２記載の軒天井用野縁ユニットにおける、第一渡り材構成材と第二渡り材構成材とが、これらの横方向にある面部を接しさせるようにして組み合わされていると共に、
これらの一方の前記面部に溝が設けられ、これらの他方の前記面部に突条が設けられていることを特徴としている。
【００２２】
かかる構成によれば、この溝への突条の入れ込みによって、第一部分と第二部分とを、軒出し方向にスライド移動または相対的にスライド移動可能に組み合わせておくことができると共に、水平方向において安定的に組み合わせておくことができる。
【００２３】
また、請求項６記載の発明にあっては、請求項５記載の軒天井用野縁ユニットにおける、野縁ユニットが複数の渡り材を有していると共に、
これら複数の渡り材のうちの少なくとも一つの渡り材における第一渡り材構成材が第二渡り材構成材に接する面部に対し、
この少なくとも一つの渡り材以外の渡り材における第一渡り材構成材が第二渡り材構成材に接する面部が、反対の向きに向けられるようにしてあることを特徴としている。
【００２４】
かかる構成によれば、前記溝への突条の入れ込みによって、第一部分と第二部分とを、軒出し方向にスライド移動または相対的にスライド移動可能に組み合わせておくことができると共に、上下方向において安定的に組み合わされ、かつ、水平方向のうち、前記スライド移動方向に交叉する向きにおいても安定的に組み合わせておくことができる。
【００２５】
また、請求項７記載の発明は、請求項５又は請求項６記載の軒天井用野縁ユニットの施工方法であって、
第一部分の第一渡り材構成材と第二部分の第二渡り材構成材とが上下方向に重なり合う箇所に対し、下方から押圧を施して、これらによって構成される渡り材に若干の反りを施した後、この重なり合う箇所に釘などによる止め付けを施して請求項５又は請求項６記載の野縁ユニットを設置させるようにすることを特徴としている。
【００２６】
かかる構成によれば、軒の裏に設置された野縁ユニットにおける渡り材を、その中央側に近付くに連れて上方に突き出すように湾曲状に反らせることができ、このように反らされた渡り材の下部に沿って張り込まれる軒天井用板にも同じ向きの若干の反りを付与させることができる。これにより、経時的に、張り込まれた軒天井用板の軒出し方向の中央側において下方にやや下がってくるような事態をできる限り生じさせないようにすることができる。すなわち、かかる手法によれば、野縁ユニットを介して軒天井用板を軒の裏により見栄え良く張り込むことが可能とされる。
【００２７】
【発明の実施の形態】
以下、図１ないし図１９に基づいて、この発明の典型的な実施の形態について説明する。
【００２８】
なお、ここで図１ないし図４は、第一実施例にかかる野縁ユニットＮをそれぞれ表しており、図５は、かかる野縁ユニットＮを軒１００の裏に設置させて、軒天井用板２００を張り込んだ状態を示している。
【００２９】
また、図６ないし図９は、第二実施例にかかる野縁ユニットＮをそれぞれ表している。
【００３０】
また、図１０ないし図１３は、第三実施例にかかる野縁ユニットＮをそれぞれ表しており、図１４は、かかる野縁ユニットＮを軒１００の裏に設置させて、軒天井用板２００を張り込んだ状態を示している。
【００３１】
また、図１５ないし図１８は、第四実施例にかかる野縁ユニットＮをそれぞれ表している。
【００３２】
また、図１９は、第五実施例にかかる野縁ユニットＮを表している。
【００３３】
この実施の形態にかかる軒天井用野縁ユニットＮは、軒裏の構成材となるものであって、軒天井用板２００の張り込みに先立って軒１００に設置されて、この後、この野縁ユニットＮを介して張り込まれる軒天井用板２００と一緒に軒天井３００を構成するものである。
【００３４】
また、この実施の形態にかかる軒天井用野縁ユニットＮの施工方法は、この野縁ユニットＮを介して軒１００に軒天井用板２００を張り込むに先立って、後に張り込まれる軒天井用板２００を見栄え良く張り込めるように、この野縁ユニットＮを軒１００に設置させる手法である。
【００３５】
すなわち、かかる野縁ユニットＮは、軒１００の鼻先側１０１と、軒１００の元側１０２との間に、固定・配されると共に、このように配された状態で、その下部に軒天井用板２００を張り込まれて、前記軒天井３００を構成するものである。
【００３６】
かかる野縁ユニットＮは、
（１）軒１００の鼻先側１０１に固定される一方桟材１０と、
（２）軒１００の元側１０２に固定される他方桟材２０と、
（３）この一方桟材１０と他方桟材２０との間に架け渡される渡り材３とを備えている。
【００３７】
また、この野縁ユニットＮは、
（１）一方桟材１０と、この一方桟材１０に一端１１ａを接合させた第一渡り材構成材１１とを有する第一部分１と、
（２）他方桟材２０と、この他方桟材２０に一端２１ａを接合させた第二渡り材構成材２１とを有する第二部分２とに分割されており、
（３）このように分割された、第一部分１の第一渡り材構成材１１と第二部分２の第二渡り材構成材２１とを、スライド可能に組み合わせて、渡り材３を構成させるようにして構成されている。
【００３８】
これにより、かかる野縁ユニットＮにあっては、第一部分１の第一渡り材構成材１１の他端１１ｂと第二部分２の他方桟材２０の内面２０ｂ間の間隔を狭める向きに、すなわちまた、第二部分２の第二渡り材構成材２１の他端２１ｂと第一部分１の一方桟材１０の内面１０ｂ間の間隔を狭める向きに、第一部分１側にあっては第二部分２の第二渡り材構成材２１を案内として、一方、第二部分２側にあっては第一部分１の第一渡り材構成材１１を案内として、スライド移動させることにより、第一部分１の一方桟材１０の外面１０ａと第二部分２の他方桟材２０の外面２０ａとの間の横方向の間隔を狭めさせることができる。
【００３９】
また、第一部分１の第一渡り材構成材１１の他端１１ｂと第二部分２の他方桟材２０の内面２０ｂ間の間隔を広げる向きに、すなわちまた、第二部分２の第二渡り材構成材２１の他端２１ｂと第一部分１の一方桟材１０の内面１０ｂ間の間隔を広げる向きに、第一部分１側にあっては第二部分２の第二渡り材構成材２１を案内として、一方、第二部分２側にあっては第一部分１の第一渡り材構成材１１を案内として、スライド移動させることにより、第一部分１の一方桟材１０の外面１０ａと第二部分２の他方桟材２０の外面２０ａとの間の横方向の間隔を広げさせることができる。
【００４０】
この結果、この実施の形態にかかる野縁ユニットＮによれば、軒１００における軒１００の鼻先側１０１の構成材と軒１００の元側１０２の構成材との間のピッチに併せて、前記スライド移動によって、野縁ユニットＮにおける一方桟材１０の外面１０ａと他方桟材２０の外面２０ａ間のピッチを調整させた後、この一方桟材１０の外面１０ａを軒１００の鼻先側１０１の構成材に押しつけ、かつ、この他方桟材２０の外面２０ａを軒１００の元側１０２の構成材に押しつけるようにして軒１００に容易に設置させることができる。
【００４１】
軒１００の鼻先側１０１の構成材としては、典型的には、図５、図１４に示されるように、鼻隠し板１０１ａ、あるいは、この鼻隠し板１０１ａの背面に前面を接するようにして軒１００に設けられる鼻隠し下地材１０１ｂなどが予定される。
【００４２】
また、軒１００の元側１０２の構成材としては、典型的には、図５、図１４に示されるように、たるきを支える軒１００側のけたを支持する柱１０２ａなどが予定される。
【００４３】
図５、図１４に示される例にあっては、一方桟材１０の外面１０ａを、鼻隠し下地材１０１ｂの内面に押しつけさせ、かつ、他方桟材２０の外面２０ａを、軒１００側の柱の外面に押し付けさせて、野縁ユニットＮを設置させるようにしている。一方桟材１０は、この一方桟材１０の内面１０ｂ側から打ち付けられる釘などにより鼻隠し下地材１０１ｂに止め付けられ、また、他方桟材２０は、この他方桟材２０の内面２０ｂ側から打ち付けられる釘などにより柱１０２ａに止め付けられ、これにより、軒１００の裏側に、渡り材３をほぼ水平方向に配させた状態で、野縁ユニットＮを設置させている。そして、このように設置された野縁ユニットＮの下部、つまり、一方桟材１０の下面、渡り材３の下面、他方桟材２０の下面の全部またはこれらの一部に、軒天井用板２００の上面を密着させるようにした後、下方からこの軒天井用板２００に釘などを打ち付けることにより、野縁ユニットＮを介して軒１００の裏側にこの軒天井用板２００を張り込ませるようにしている。
【００４４】
図１ないし図１９に示される例にあっては、いずれも、
（１）第一部分１の第一渡り材構成材１１及び第二部分２の第二渡り材構成材２１のいずれか一方に軒出し方向に沿った溝４を形成させると共に、
（２）これらの他方に軒出し方向に沿った突条５を形成させており、
（３）この溝４に突条５をスライド可能に入れ込ませて第一部分１の第一渡り材構成材１１と第二部分２の第二渡り材構成材２１とを組み合わせることにより、渡り材３を構成させるようにしている。
【００４５】
これにより、図１ないし図１９に示される例にあっては、かかる溝４に沿って、第一渡り材構成材１１側を案内として第二渡り材構成材２１を、すなわちまた、第二渡り材構成材２１側を案内として第一渡り材構成材１１を、第一部分１の一方桟材１０の外面１０ａと第二部分２の他方桟材２０の外面２０ａ間のピッチを可変させるように、円滑にスライド移動させることができる。また、かかる溝４への突条５の入れ込みによって、第一部分１と第二部分２とを安定的に組み合わせることができる。図示の例では、突条５および溝４は、いずれも、第一渡り材構成材１１、第二渡り材構成材２１の長さ方向に亘って形成されている。
【００４６】
（第一実施例）
また、図１ないし図５に示される例にあっては、野縁ユニットＮ１を構成する第一渡り材構成材１１と第二渡り材構成材２１とが、これらの縦方向にある面部Ｍａを接しさせるようにして組み合わされていると共に、
これらの一方の前記面部Ｍａに溝４が設けられ、これらの他方の前記面部Ｍａに突条５が設けられている。
【００４７】
これにより、この図１ないし図５に示される例にあっては、この溝４への突条５の入れ込みによって、第一部分１と第二部分２とは、軒出し方向にスライド移動または相対的にスライド移動可能に組み合わされると共に、上下方向において安定的に組み合わされる。
【００４８】
この例にあっては、第一部分１の一方桟材１０ならびに第一渡り材構成材１１、および、第二部分２の他方桟材２０ならびに第二渡り材構成材２１は、いずれも、断面を角形とした真っ直ぐな棒状体、典型的には、木材ないしは木質材として構成されている。
【００４９】
第一部分１の一方桟材１０に対し、第一渡り材構成材１１は、その一端１１ａを一方桟材１０の内面１０ｂに釘打ちなどして止め付けられている。第一渡り材構成材１１は、この一方桟材１０の内面１０ｂからほぼ直交する向きに突き出すように、この一方桟材１０に組み付けられている。
【００５０】
また、第二部分２の他方桟材２０に対し、第二渡り材構成材２１は、その一端２１ａを他方桟材２０の内面２０ｂに釘打ちなどして止め付けられている。第二渡り材構成材２１は、この他方桟材２０の内面２０ｂからほぼ直交する向きに突き出すように、この他方桟材２０に組み付けられている。
【００５１】
この例にあっては、第一部分１の第一渡り材構成材１１の縦方向にある両面部Ｍａ、Ｍａのうち、一方の面部Ｍａ（図４における右側に向けられた面部）に、前記突条５が設けられている。
【００５２】
一方、第二部分２の第二渡り材構成材２１の縦方向にある両面部Ｍａ、Ｍａのうち、他方の面部Ｍａ（図４における左側に向けられた面部）に、前記突条５の入り込む溝４が設けられている。
【００５３】
また、この例にあっては、野縁ユニットＮ１が複数の渡り材３を有している。すなわち、第一部分１が複数の第一渡り材構成材１１、１１…を有していると共に、第二部分２が複数の第二渡り材構成材２１、２１…を有している。
【００５４】
また、この例にあっては、第一部分１の一方桟材１０ならびに第一渡り材構成材１１、および、第二部分２の他方桟材２０ならびに第二渡り材構成材２１は、いずれも、上下方向の厚さをほぼ等しくするように構成されていると共に、一方桟材１０および他方桟材２０の下面と渡り材３の下面、および、一方桟材１０および他方桟材２０の上面と渡り材３の上面とが、いずれもほぼ同面上に位置されるようにしてある。
【００５５】
この例にあっては、第一部分１の第一渡り材構成材１１と、第二部分２の第二渡り材構成材２１がほぼ等しい長さを持つように構成されており、図１に示されるように、第一部分１の第一渡り材構成材１１の他端１１ｂを第二部分２の他方桟材２０の内面２０ｂに突き当てさせ、かつ、第二部分２の第二渡り材構成材２１の他端２１ｂを第一部分１の一方桟材１０の内面１０ｂに突き当てさせた状態を、一方桟材１０と他方桟材２０との間のピッチを最も狭めさせた状態とする。もっとも、第一部分１の第一渡り材構成材１１の他端１１ｂ側と第二部分２の第二渡り材構成材２１の他端２１ｂ側とをそれぞれ、同じ長さ分切断させれば、一方桟材１０と他方桟材２０との間のピッチをさらに狭めさせることもできる。
【００５６】
（第二実施例）
また、図６ないし図９に示される例にあっては、野縁ユニットＮ２を構成する第一渡り材構成材１１と第二渡り材構成材２１とが、これらの縦方向にある面部Ｍａを接しさせるようにして組み合わされていると共に、
野縁ユニットＮ２が複数の渡り材３、３…を有しており、
さらに、これら複数の渡り材３、３…のうちの少なくとも一つの渡り材３における第一渡り材構成材１１が第二渡り材構成材２１に接する面部Ｍａに対し、
この少なくとも一つの渡り材３以外の渡り材３における第一渡り材構成材１１が第二渡り材構成材２１に接する面部Ｍａが、反対の向きに向けられるようにしてある。
【００５７】
これにより、この図６ないし図９に示される例にあっては、前記溝４への突条５の入れ込みによって、第一部分１と第二部分２とは、軒出し方向にスライド移動または相対的にスライド移動可能に組み合わされると共に、上下方向において安定的に組み合わされ、かつ、水平方向のうち、前記スライド移動方向に交叉する向きにおいても安定的に組み合わされる。
【００５８】
具体的には、この例にあっては、複数の渡り材３、３…のうちの少なくとも一つの渡り材３を構成する第一渡り材構成材１１（図９においては、左から二番目の第一渡り材構成材１１）における縦方向にある両面部Ｍａ、Ｍａのうち、一方の面部Ｍａ（図９における左側に向けられた面部Ｍａ）に、前記突条５が設けられている。
【００５９】
それと共に、この例にあっては、この一つの渡り材３を除くその余の渡り材３においては、第一部分１の第一渡り材構成材１１の縦方向にある両面部Ｍａ、Ｍａのうち、他方の面部Ｍａ（図９における右側に向けられた面部Ｍａ）に、前記突条５が設けられている。
【００６０】
一方、複数の渡り材３、３…のうちの一つの渡り材３を構成する第二渡り材構成材２１（図９においては、左から二番目の第二渡り材構成材２１）における縦方向にある両面部Ｍａ、Ｍａのうち、他方の面部Ｍａ（図９における右側に向けられた面部）に、前記溝４が設けられている。
【００６１】
それと共に、この例にあっては、この一つの渡り材３を除くその余の渡り材３においては、第二部分２の第二渡り材構成材２１の縦方向にある両面部Ｍａ、Ｍａのうち、一方の面部Ｍａ（図９における左側に向けられた面部Ｍａ）に、前記溝４が設けられている。
【００６２】
なお、この第二実施例に係る野縁ユニットＮ２のその余の構成は、第一実施例に係る野縁ユニットＮ１の構成と実質的に同一であるので、この実質的に同一の構成部分については、第二実施例を示す図６ないし図９に、第一実施例を示す図１ないし図５で用いた符号と同一の符号を付して、その説明は省略する。
【００６３】
（第三実施例）
また、図１０ないし図１４に示される例にあっては、野縁ユニットＮ３を構成する第一渡り材構成材１１と第二渡り材構成材２１とが、これらの横方向にある面部Ｍｂを接しさせるようにして組み合わされていると共に、
これらの一方の前記面部Ｍｂに溝４が設けられ、これらの他方の前記面部Ｍｂに突条５が設けられている。
【００６４】
これにより、この図１０ないし図１４に示される例にあっては、この溝４への突条５の入れ込みによって、第一部分１と第二部分２とは、軒出し方向にスライド移動または相対的にスライド移動可能に組み合わされると共に、水平方向において安定的に組み合わされる。
【００６５】
この例にあっては、第一部分１の一方桟材１０および第二部分２の他方桟材２０は、いずれも、断面を角形とした真っ直ぐな棒状体、典型的には、木材ないしは木質材として構成されている。
【００６６】
一方、この例にあっては、第一部分１の第一渡り材構成材１１および第二部分２の第二渡り材構成材２１は、いずれも、板状体、典型的には、木材ないしは木質材からなる板状体として構成されている。
【００６７】
第一部分１の一方桟材１０に対し、第一渡り材構成材１１は、その一端１１ａを一方桟材１０の内面１０ｂに釘打ちなどして止め付けられている。第一渡り材構成材１１は、この一方桟材１０の内面１０ｂからほぼ直交する向きに突き出すように、この一方桟材１０に組み付けられている。また、第一渡り材構成材１１は、一方桟材１０の厚さ寸法のほぼ半分の板厚を備えるように構成されていると共に、その上面を一方桟材１０の上面とほぼ同面上に位置づけさせるようにして組み付けられている。
【００６８】
また、第二部分２の他方桟材２０に対し、第二渡り材構成材２１は、その一端２１ａを他方桟材２０の内面２０ｂに釘打ちなどして止め付けられている。第二渡り材構成材２１は、この他方桟材２０の内面２０ｂからほぼ直交する向きに突き出すように、この他方桟材２０に組み付けられている。また、第二渡り材構成材２１は、他方桟材２０の厚さ寸法のほぼ半分の板厚を備えるように構成されていると共に、その下面を他方桟材２０の下面とほぼ同面上に位置づけさせるようにして組み付けられている。
【００６９】
この例にあっては、第一部分１の第一渡り材構成材１１の横方向にある両面部Ｍｂ、Ｍｂのうち、下方の面部Ｍｂに、前記突条５が設けられている。
【００７０】
一方、第二部分２の第二渡り材構成材２１の横方向にある両面部Ｍｂ、Ｍｂのうち、上方の面部Ｍｂに、前記突条５の入り込む溝４が設けられている。
【００７１】
また、この例にあっては、野縁ユニットＮ３が複数の渡り材３、３…を有している。すなわち、第一部分１が複数の第一渡り材構成材１１、１１…を有していると共に、第二部分２が複数の第二渡り材構成材２１、２１…を有している。
【００７２】
この例にあっては、第一部分１の第一渡り材構成材１１と、第二部分２の第二渡り材構成材２１がほぼ等しい長さを持つように構成されており、図１０に示されるように、第一部分１の第一渡り材構成材１１の他端１１ｂを第二部分２の他方桟材２０の内面２０ｂに突き当てさせ、かつ、第二部分２の第二渡り材構成材２１の他端２１ｂを第一部分１の一方桟材１０の内面１０ｂに突き当てさせた状態を、一方桟材１０と他方桟材２０との間のピッチを最も狭めさせた状態とする。もっとも、第一部分１の第一渡り材構成材１１の他端１１ｂ側と第二部分２の第二渡り材構成材２１の他端２１ｂ側とをそれぞれ、同じ長さ分切断させれば、一方桟材１０と他方桟材２０との間のピッチをさらに狭めさせることもできる。
【００７３】
（第四実施例）
また、図１５ないし図１８に示される例にあっては、野縁ユニットＮ４を構成する第一渡り材構成材１１と第二渡り材構成材２１とが、これらの横方向にある面部Ｍｂを接しさせるようにして組み合わされていると共に、
野縁ユニットＮ４が複数の渡り材３、３…を有しており、
さらに、これら複数の渡り材３、３…のうちの少なくとも一つの渡り材３における第一渡り材構成材１１が第二渡り材構成材２１に接する面部Ｍｂに対し、
この少なくとも一つの渡り材３以外の渡り材３における第一渡り材構成材１１が第二渡り材構成材２１に接する面部Ｍｂが、反対の向きに向けられるようにしてある。
【００７４】
これにより、この図１５ないし図１８に示される例にあっては、前記溝４への突条５の入れ込みによって、第一部分１と第二部分２とは、軒出し方向にスライド移動または相対的にスライド移動可能に組み合わされると共に、上下方向において安定的に組み合わされ、かつ、水平方向のうち、前記スライド移動方向に交叉する向きにおいても安定的に組み合わされる。
【００７５】
具体的には、この例にあっては、複数の渡り材３、３…のうちの少なくとも二つの渡り材３を構成する第一渡り材構成材１１（図１８においては、左から二番目と四番目の第一渡り材構成材１１）は、その下面を一方桟材１０の下面とほぼ同面上に位置させるようにして、この一方桟材１０に組み付けられている。それと共に、複数の渡り材３、３…のうちのその余の渡り材３を構成する第一渡り材構成材１１（図１８においては、左から一番目と三番目の第一渡り材構成材１１）は、その上面を一方桟材１０の上面とほぼ同面上に位置させるようにして、この一方桟材１０に組み付けられている。
【００７６】
また、複数の渡り材３、３…のうちの少なくとも二つの渡り材３を構成する第二渡り材構成材２１（図１８においては、左から二番目と四番目の第二渡り材構成材２１）は、その上面を他方桟材２０の上面とほぼ同面上に位置させるようにして、この他方桟材２０に組み付けられている。それと共に、複数の渡り材３、３…のうちのその余の渡り材３を構成する第二渡り材構成材２１（図１８においては、左から一番目と三番目の第二渡り材構成材２１）は、その下面を他方桟材２０の下面とほぼ同面上に位置させるようにして、この他方桟材２０に組み付けられている。
【００７７】
また、この例にあっては、複数の渡り材３、３…のうちの前記二つの渡り材３を構成する第一渡り材構成材１１（図１８においては、左から二番目と四番目の第一渡り材構成材１１）における横方向にある両面部Ｍｂ、Ｍｂのうち、上方の面部Ｍｂに、前記溝４が設けられている。
【００７８】
それと共に、複数の渡り材３、３…のうちのその余の渡り材３を構成する第一渡り材構成材１１（図１８においては、左から一番目と三番目の第一渡り材構成材１１）の横方向にある両面部Ｍｂ、Ｍｂのうち、下方の面部Ｍｂに、前記突条５が設けられている。
【００７９】
また、複数の渡り材３、３…のうちの前記二つの渡り材３を構成する第二渡り材構成材２１（図１８においては、左から二番目と四番目の第二渡り材構成材２１）における横方向にある両面部Ｍｂ、Ｍｂのうち、下方の面部Ｍｂに、前記突条５が設けられている。
【００８０】
それと共に、複数の渡り材３、３…のうちのその余の渡り材３を構成する第二渡り材構成材２１（図１８においては、左から一番目と三番目の第二渡り材構成材２１）の横方向にある両面部Ｍｂ、Ｍｂのうち、上方の面部Ｍｂに、前記溝４が設けられている。
【００８１】
なお、この第四実施例に係る野縁ユニットＮ４のその余の構成は、第三実施例に係る野縁ユニットＮ３の構成と実質的に同一であるので、この実質的に同一の構成部分については、第四実施例を示す図１５ないし図１８に、第三実施例を示す図１０ないし図１４で用いた符号と同一の符号を付して、その説明は省略する。
【００８２】
（第五実施例）
図１９に示される例にあっては、第一部分１の第一渡り材構成材１１の長さｘ１と第二部分２の第二渡り材構成材２１の長さｘ２とが異なるようにしてある。
【００８３】
図示の例にあっては、第一部分１の第一渡り材構成材１１が第二部分２の第二渡り材構成材２１よりも短くなるようにしてある。
【００８４】
これにより、この例にあっては、第一に、第二部分２の第二渡り材構成材２１の他端２１ｂを第一部分１の一方桟材１０の内面１０ｂに突き当てさせた状態を、基本的には、一方桟材１０と他方桟材２０との間のピッチを最も狭めさせた状態とする。
【００８５】
それと共に、このピッチをさらに狭めさせる調整を必要とする場合には、第一渡り材構成材１１の長さｘ１と第二渡り材構成材２１の長さｘ２との寸法差分の範囲内であれば、第二部分２の第二渡り材構成材２１の他端２１ｂ側を所定寸法切断させれば、一方桟材１０と他方桟材２０との間のピッチをさらに狭めさせることができる。
【００８６】
なお、この第五実施例に係る野縁ユニットＮ５のその余の構成は、第二実施例に係る野縁ユニットＮ２の構成と実質的に同一であるので、この実質的に同一の構成部分については、第五実施例を示す図１９に、第二実施例を示す図６ないし図９で用いた符号と同一の符号を付して、その説明は省略する。
【００８７】
（野縁ユニットＮの施工方法）
この実施の形態にかかる野縁ユニットＮの施工方法は、前記第三実施例および第四実施例にかかる野縁ユニットＮ３、Ｎ４を軒１００の裏側に設置させる手法である。
【００８８】
両実施例に係る野縁ユニットＮ３、Ｎ４は、第一渡り材構成材１１と第二渡り材構成材２１とが、これらの横方向にある面部Ｍｂを接しさせるようにして組み合わされて、渡り材３を構成させている。
【００８９】
すなわち、かかる野縁ユニットＮ３、Ｎ４は、第一部分１の第一渡り材構成材１１と第二部分２の第二渡り材構成材２１とが上下方向に重なり合う箇所を有している。（この箇所を図１４において符号ｚで示す。）
【００９０】
この実施の形態にかかる野縁ユニットＮの施工方法は、第一部分１の第一渡り材構成材１１と第二部分２の第二渡り材構成材２１とが上下方向に重なり合う箇所ｚに対し、下方から押圧を施して、これらによって構成される渡り材３に若干の反りを施した後、この重なり合う箇所に釘などによる止め付けを施して、かかる野縁ユニットＮを設置させるようにするものである。
【００９１】
かかる手法によれば、このように設置される野縁ユニットＮにおける渡り材３を、その中央側に近付くに連れて上方に突き出すように湾曲状に反らせることができ、このように反らされた渡り材３の下部に沿って張り込まれる軒天井用板２００にも同じ向きの若干の反りを付与させることができる。これにより、経時的に、張り込まれた軒天井用板２００の軒出し方向の中央側において下方にやや下がってくるような事態をできる限り生じさせないようにすることができる。すなわち、かかる手法によれば、野縁ユニットＮを介して軒天井用板２００を軒１００の裏により見栄え良く張り込むことが可能とされる。
【００９２】
【発明の効果】
この発明にかかる野縁ユニットによれば、建築現場において軒天井用板を張り込ませるための野縁材を別段に組み立てることなく、したがってまた、こうした野縁材の設置個所の寸法計測などをすることなく、野縁材の設置個所の寸法に合わせて野縁ユニットを構成する一方桟材と他方桟材間のピッチを調整することで、軒の裏に容易かつ適切に軒天井用板を張り込むための下地材としてかかる野縁ユニットを設置させることができる。
【００９３】
また、この発明にかかる野縁ユニットの施工方法によれば、野縁ユニットを介して軒天井用板を軒の裏により見栄え良く張り込むことができる。
【図面の簡単な説明】
【図１】第一実施例にかかる野縁ユニットＮ１の平面図（一方桟材１０と他方桟材２０との間のピッチを最も狭めた状態）
【図２】第一実施例にかかる野縁ユニットＮ１の平面図（一方桟材１０と他方桟材２０との間のピッチを図１の状態よりも広げさせた状態）
【図３】第一実施例にかかる野縁ユニットＮ１の断面図
【図４】第一実施例にかかる野縁ユニットＮ１の分離斜視図（上方から見た図）
【図５】第一実施例にかかる野縁ユニットＮ１の使用状態を示した断面構成図
【図６】第二実施例にかかる野縁ユニットＮ２の平面図（一方桟材１０と他方桟材２０との間のピッチを最も狭めた状態）
【図７】第二実施例にかかる野縁ユニットＮ２の平面図（一方桟材１０と他方桟材２０との間のピッチを図６の状態よりも広げさせた状態）
【図８】第二実施例にかかる野縁ユニットＮ２の断面図
【図９】第二実施例にかかる野縁ユニットＮ２の分離斜視図（上方から見た図）
【図１０】第三実施例にかかる野縁ユニットＮ３の平面図（一方桟材１０と他方桟材２０との間のピッチを最も狭めた状態）
【図１１】第三実施例にかかる野縁ユニットＮ３の平面図（一方桟材１０と他方桟材２０との間のピッチを図１０の状態よりも広げさせた状態）
【図１２】第三実施例にかかる野縁ユニットＮ３の断面図
【図１３】第三実施例にかかる野縁ユニットＮ３の分離斜視図（下方から見た図）
【図１４】第三実施例にかかる野縁ユニットＮ３の使用状態を示した断面構成図
【図１５】第四実施例にかかる野縁ユニットＮ４の平面図（一方桟材１０と他方桟材２０との間のピッチを最も狭めた状態）
【図１６】第四実施例にかかる野縁ユニットＮ４の平面図（一方桟材１０と他方桟材２０との間のピッチを図１５の状態よりも広げさせた状態）
【図１７】第四実施例にかかる野縁ユニットＮ４の断面図
【図１８】第四実施例にかかる野縁ユニットＮ４の分離斜視図（下方から見た図）
【図１９】第五実施例にかかる野縁ユニットＮ５の平面図
【符号の説明】
１００  軒
１０１  鼻先側
１０２  元側
２００  軒天井用板
３００  軒天井
Ｎ  野縁ユニット
１  第一部分
１０  一方桟材
１１  第一渡り材構成材
２  第二部分
２０  他方桟材
２１  第二渡り材構成材
３  渡り材
【図１】
2004257159.tif 000003
【図２】
2004257159.tif 000004
【図３】
2004257159.tif 000005
【図４】
2004257159.tif 000006
【図５】
2004257159.tif 000007
【図６】
2004257159.tif 000008
【図７】
2004257159.tif 000009
【図８】
2004257159.tif 000010
【図９】
2004257159.tif 000011
【図１０】
2004257159.tif 000012
【図１１】
2004257159.tif 000013
【図１２】
2004257159.tif 000014
【図１３】
2004257159.tif 000015
【図１４】
2004257159.tif 000016
【図１５】
2004257159.tif 000017
【図１６】
2004257159.tif 000018
【図１７】
2004257159.tif 000019
【図１８】
2004257159.tif 000020
【図１９】
2004257159.tif 000021